(57)【要約】【課題】  上位装置で生成されたデータを上位装置の構成を問わず目的とする送信先に転送できるようにする。【解決手段】  上位装置２から転送されたデータのヘッダ情報を解析して上位装置２が生成したデータの転送先を求めるヘッダ情報解析手段１１，現在位置を特定するためのＧＰＳ位置検出器８，記憶媒体３に予め記憶させておいたアクセスポイントの位置とアクセスポイントの接続情報との対応関係に基いて直近するアクセスポイントの接続情報を求める接続先選択手段１０，求めた接続情報に従いメモリユニット５の無線モデム４を用いて上位装置２からのデータを目的とする転送先に転送する転送制御手段１２を、上位装置２に着脱可能に装着されるメモリユニット５に設ける。【選択図】図１
2014229251.tif 000002
【特許請求の範囲】
【請求項１】
データを生成する上位装置と、前記上位装置により生成されたデータを保存する記憶媒体と前記上位装置により生成されたデータをアクセスポイントに向けて送信する無線モデムを備えて前記上位装置に着脱可能に装着されるメモリユニットとを有するデータ記録転送システムであって、
前記上位装置には、生成したデータにヘッダ情報を添付するヘッダ情報添付手段が設けられると共に、
前記メモリユニットには、前記メモリユニットの現在位置を特定するＧＰＳ位置検出器と、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求める接続先選択手段と、前記上位装置から転送されたデータのヘッダ情報に含まれる転送先を特定する情報に基いてデータの転送先を求めるヘッダ情報解析手段と、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信する転送制御手段とを設けたことを特徴とするデータ記録転送システム。
【請求項２】
前記ヘッダ情報添付手段は、前記上位装置がデータを生成したときの前記上位装置の操作状況を表す可変データを前記ヘッダ情報に含めるように構成され、
前記ヘッダ情報解析手段は、前記上位装置から転送されたデータのヘッダ情報に含まれる前記可変データの値をデータの転送先を特定する情報として認識し、前記可変データの値と前記記憶媒体に予め記憶させておいた可変データとデータの転送先との対応関係に基いてデータの転送先を求めるように構成されていることを特徴とする請求項１記載のデータ記録転送システム。
【請求項３】
前記上位装置がデジタルカメラであって、前記可変データは、露出時間と絞り値のうちから選択された何れか一方の値であることを特徴とする請求項２記載のデータ記録転送システム。
【請求項４】
前記上位装置はパーソナルコンピュータであって、
前記ヘッダ情報添付手段は、前記上位装置がデータを生成したときのファイル名を前記ヘッダ情報に含めるように構成され、
前記ヘッダ情報解析手段は、前記上位装置から転送されたデータのヘッダ情報に含まれるファイル名のうち予め設定されたコードで区切られた文字ストリングスをデータの転送先として認識するように構成されていることを特徴とする請求項１記載のデータ記録転送システム。
【請求項５】
データを生成する上位装置と、前記上位装置により生成されたデータを保存する記憶媒体と前記上位装置により生成されたデータをアクセスポイントに向けて送信する無線モデムと現在位置を特定するためのＧＰＳ位置検出器を備えて前記上位装置に着脱可能に装着されるメモリユニットとを有するデータ記録転送システムの制御プログラムであって、
前記上位装置が備えるマイクロプロセッサを、上位装置が生成したデータにヘッダ情報を添付するヘッダ情報添付手段として機能させる上位装置用制御プログラムと、
前記メモリユニットが備えるマイクロプロセッサを、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求める接続先選択手段、前記上位装置から転送されたデータのヘッダ情報に含まれる転送先を特定する情報に基いてデータの転送先を求めるヘッダ情報解析手段、および、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信する転送制御手段として機能させるメモリユニット用制御プログラムとによって構成されるデータ記録転送システムの制御プログラム。
【請求項６】
前記上位装置用制御プログラムは、前記ヘッダ情報添付手段を、前記上位装置がデータを生成したときの前記上位装置の操作状況を表す可変データを前記ヘッダ情報に含めるように機能させ、
前記メモリユニット用制御プログラムは、前記ヘッダ情報解析手段を、前記上位装置から転送されたデータのヘッダ情報に含まれる前記可変データの値をデータの転送先を特定する情報として認識し、前記可変データの値と前記記憶媒体に予め記憶させておいた可変データとデータの転送先との対応関係に基いてデータの転送先を求めるように機能させることを特徴とする請求項５記載のデータ記録転送システムの制御プログラム。
【請求項７】
前記上位装置がデジタルカメラであって、前記可変データは、露出時間と絞り値のうちから選択された何れか一方の値であることを特徴とする請求項６記載のデータ記録転送システムの制御プログラム。
【請求項８】
前記上位装置はパーソナルコンピュータであって、
前記上位装置用制御プログラムは、前記ヘッダ情報添付手段を、前記上位装置がデータを生成したときのファイル名を前記ヘッダ情報に含めるように機能させ、
前記メモリユニット用制御プログラムは、前記ヘッダ情報解析手段を、前記上位装置から転送されたデータのヘッダ情報に含まれるファイル名のうち予め設定されたコードで区切られた文字ストリングスをデータの転送先として認識するように機能させることを特徴とする請求項５記載のデータ記録転送システムの制御プログラム。
【請求項９】
データを生成する上位装置と、前記上位装置により生成されたデータを保存する記憶媒体と前記上位装置により生成されたデータをアクセスポイントに向けて送信する無線モデムと現在位置を特定するためのＧＰＳ位置検出器を備えて前記上位装置に着脱可能に装着されるメモリユニットとを有するデータ記録転送システムにおけるデータの記録転送方法であって、
前記上位装置がデータを生成する際に、上位装置のヘッダ情報添付手段により、生成されたデータにヘッダ情報を添付し、
上位装置からメモリユニットにデータを転送する際に、
メモリユニットの接続先選択手段が、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求め、メモリユニットのヘッダ情報解析手段が、前記上位装置から転送されたデータのヘッダ情報に含まれる転送先を特定する情報に基いてデータの転送先を求め、メモリユニットの転送制御手段が、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信することを特徴としたデータの記録転送方法。
【請求項１０】
前記上位装置から転送されたデータを前記記憶媒体に一旦保存し、前記上位装置から転送されたデータのヘッダ情報に転送先を特定する情報が含まれていなければ前記上位装置から転送されたデータを前記記憶媒体に保持し続ける一方、前記上位装置から転送されたデータのヘッダ情報に転送先を特定する情報が含まれていれば前記上位装置から転送されたデータを前記無線モデムを介して送信してから当該データを前記記憶媒体から消去することを特徴とした請求項９記載のデータの記録転送方法。
【発明の詳細な説明】
【技術分野】
【０００１】
本発明は、データを生成する上位装置と上位装置に着脱可能に装着されるメモリユニットとを有するデータ記録転送システムおよび其の制御プログラムとデータの記録転送方法に関する。
【背景技術】
【０００２】
デジタルカメラで生成された画像データ等をアクセスポイント経由でＦＴＰサーバやＷｅｂサーバ等に送信する技術としては特許文献１や特許文献２に開示される画像転送方法が既に公知である。
【０００３】
特許文献１に開示される画像転送方法で用いられるデジタルカメラは移動通信網と接続する無線部をデジタルカメラの本体に内蔵したものである。
【０００４】
特許文献２ではデジタルカメラ等の撮影装置にＧＰＳ位置検出器を内蔵する点が開示されているが、ＧＰＳ位置検出器は撮影装置で撮影された画像のデータに正確な撮影位置の情報や時刻情報を添付するために利用されているに過ぎない。
【０００５】
デジタルカメラにＧＰＳ位置検出器を内蔵する点は特許文献３にも開示されているが、ＧＰＳ位置検出器の用途は特許文献３においても前記と同様であり、画像データのヘッダ情報に地名情報を添付することを目的としたものに過ぎない。
但し、特許文献３ではＧＰＳ位置検出器で求められた位置情報に基いてデジタルカメラに内蔵されている地名辞書（情報テーブル）を検索して地名を求め、位置の数値情報に代えて具体的な地名を画像データのヘッダ情報に添付するようにしている。
【０００６】
特許文献１，特許文献２，特許文献３に開示される技術にあっては何れもデジタルカメラの内部にアクセスポイントと接続するための無線部を内蔵しており、ＦＴＰサーバやＷｅｂサーバ等へのデータの送信のためにデジタルカメラの構造が特殊化するといった不都合がある。
【０００７】
これに対し、特許文献４では、更に、プラグインカードに内蔵した無線モデムをデジタルカメラに着脱可能に取り付ける点について開示されている。
しかしながら、特許文献４に開示されるデジタルカメラにあっては、撮影された全ての画像のデータを一括してサービスプロバイダにアップロードするか、または、撮影された一部の画像を選択してアップロードタグをセットする必要があり、この選択操作に際して格別のインターフェイスやアプリケーションプログラムが必要となるため、前述した特許文献１，特許文献２，特許文献３におけるデジタルカメラと同様、上位装置となるデジタルカメラの構造が特殊化するといった不都合が解消され得ない。
【先行技術文献】
【特許文献】
【０００８】
【特許文献１】特開２００３−１４３５２３号公報（段落００１１，００３０，００３１）
【特許文献２】特開２００４−３１０３７３号公報（段落００４６，００４７，００５０）
【特許文献３】特開２０１０−９３３９５号公報（段落００１２，００３１）
【特許文献４】特表２０１２−５１３１５９公報（段落００２４，００３５）
【発明の概要】
【発明が解決しようとする課題】
【０００９】
本発明の目的は、デジタルカメラ等を始めとする上位装置の構成を問わず、上位装置で生成されたデータを目的とする送信先に転送することのできるデータ記録転送システムおよび其の制御プログラムとデータの記録転送方法を提供することにある。
【課題を解決するための手段】
【００１０】
本発明におけるデータ記録転送システムは、データを生成する上位装置と、前記上位装置により生成されたデータを保存する記憶媒体と前記上位装置により生成されたデータをアクセスポイントに向けて送信する無線モデムを備えて前記上位装置に着脱可能に装着されるメモリユニットとを有するデータ記録転送システムであり、前記目的を達成するため、特に、
前記上位装置には、生成したデータにヘッダ情報を添付するヘッダ情報添付手段が設けられると共に、
前記メモリユニットには、前記メモリユニットの現在位置を特定するＧＰＳ位置検出器と、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求める接続先選択手段と、前記上位装置から転送されたデータのヘッダ情報に含まれる転送先を特定する情報に基いてデータの転送先を求めるヘッダ情報解析手段と、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信する転送制御手段とを設けたことを特徴とする構成を有する。
【００１１】
また、本発明におけるデータ記録転送システムの制御プログラムは、データを生成する上位装置と、前記上位装置により生成されたデータを保存する記憶媒体と前記上位装置により生成されたデータをアクセスポイントに向けて送信する無線モデムと現在位置を特定するためのＧＰＳ位置検出器を備えて前記上位装置に着脱可能に装着されるメモリユニットとを有するデータ記録転送システムの制御プログラムであり、前記と同様の目的を達成するため、
前記上位装置が備えるマイクロプロセッサを、上位装置が生成したデータにヘッダ情報を添付するヘッダ情報添付手段として機能させる上位装置用制御プログラムと、
前記メモリユニットが備えるマイクロプロセッサを、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求める接続先選択手段、前記上位装置から転送されたデータのヘッダ情報に含まれる転送先を特定する情報に基いてデータの転送先を求めるヘッダ情報解析手段、および、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信する転送制御手段として機能させるメモリユニット用制御プログラムとによって構成されることを特徴とする。
【００１２】
また、本発明におけるデータの記録転送方法は、データを生成する上位装置と、前記上位装置により生成されたデータを保存する記憶媒体と前記上位装置により生成されたデータをアクセスポイントに向けて送信する無線モデムと現在位置を特定するためのＧＰＳ位置検出器を備えて前記上位装置に着脱可能に装着されるメモリユニットとを有するデータ記録転送システムにおけるデータの記録転送方法であり、前記と同様の目的を達成するため、
前記上位装置がデータを生成する際に、上位装置のヘッダ情報添付手段により、生成されたデータにヘッダ情報を添付し、
上位装置からメモリユニットにデータを転送する際に、
メモリユニットの接続先選択手段が、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求め、メモリユニットのヘッダ情報解析手段が、前記上位装置から転送されたデータのヘッダ情報に含まれる転送先を特定する情報に基いてデータの転送先を求め、メモリユニットの転送制御手段が、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信することを特徴とした構成を有する。
【発明の効果】
【００１３】
本発明は、上位装置に着脱可能に装着されたメモリユニットが備えるヘッダ情報解析手段が上位装置から転送されたデータのヘッダ情報を解析して上位装置が生成したデータの転送先を求め、更に、メモリユニットが備えるＧＰＳ位置検出器で特定された現在位置とメモリユニットの記憶媒体に予め記憶させておいたアクセスポイントの位置とアクセスポイントの接続情報との対応関係に基いてメモリユニットの接続先選択手段が現在位置に直近するアクセスポイントの接続情報を求め、メモリユニットが備える転送制御手段が、メモリユニットの無線モデムを用いて上位装置からのデータを転送するようにしているので、上位装置の構成を問わず、上位装置で生成されたデータを目的とする送信先に転送することができる。
【図面の簡単な説明】
【００１４】
【図１】本発明を適用した一実施形態のデータ記録転送システムの構成の概略について示した機能ブロック図である。
【図２】アクセスポイントの位置とアクセスポイントの接続情報との対応関係を記憶する接続先情報記憶テーブルの論理的な構成例を示した概念図である。
【図３】上位装置から転送されたデータのヘッダ情報に含まれる可変データの値のうちデータの転送先を特定する情報として認識すべき幾つかの可変データの値と此れらの可変データの各々に対応するデータ転送先との対応関係、および、上位装置から転送されたデータのヘッダ情報から予め設定されたコードによって区切られる文字ストリングスの各々と此れらの文字ストリングスに対応するデータ転送先との対応関係を記憶した送信先情報記憶テーブルの論理的な構成例を示した概念図である。
【図４】メモリユニットが備えるマイクロプロセッサが実行するメモリユニット用制御プログラムの構成の概略を示したフローチャートである。
【発明を実施するための形態】
【００１５】
次に本発明を実施するための形態について具体的に説明する。
【００１６】
図１は本発明を適用した一実施形態のデータ記録転送システムの構成の概略について示した機能ブロック図である。
【００１７】
この実施形態のデータ記録転送システム１は、データを生成する上位装置２、および、上位装置２により生成されたデータを保存する記憶媒体３と上位装置２により生成されたデータを例えばＣＤＭＡ，３ＧＳＭ（登録商標），Ｗｉ−Ｆｉ等のネットワークのアクセスポイントに向けて送信する無線モデム４を有して上位装置２に着脱可能に装着されるメモリユニット５を備えたデータ記録転送システムである。
【００１８】
そして、上位装置２には、データを生成するデータ生成手段６と、データ生成手段６により生成されたデータにデータの転送先を特定する情報を含むヘッダ情報を添付するヘッダ情報添付手段７が設けられている。
【００１９】
また、メモリユニット５には、メモリユニット５の現在位置を特定するＧＰＳ位置検出器８と、ＧＰＳ位置検出器８で特定された現在位置と記憶媒体３の接続先情報記憶テーブル９に予め記憶させておいたアクセスポイントの位置とアクセスポイントの接続情報との対応関係に基いて現在位置に直近するアクセスポイントの接続情報を求める接続先選択手段１０と、上位装置２から転送されたデータのヘッダ情報に含まれる転送先を特定する情報に基いてデータの転送先を求めるヘッダ情報解析手段１１と、接続先選択手段１０によって求められた接続情報に従って無線モデム４を作動させて現在位置に直近するアクセスポイントに接続し、ヘッダ情報解析手段１１によって求められた転送先をデータの転送先として無線モデム４を介してデータを送信する転送制御手段１２と、上位装置２から転送されたデータを記憶媒体３のデータ記憶領域３ａに一旦保存するためのデータ受付インターフェイス１３が備えられている。
【００２０】
記憶媒体３としては、例えば、コンパクトフラッシュ（登録商標）メモリ，ＳＤメモリ，その他のものが利用できる。
【００２１】
この実施形態にあっては、データを生成する上位装置２として、露出時間，絞り値，撮影時刻等を含むヘッダ情報を画像データに添付するヘッダ情報添付手段７を備えたデジタルカメラやファイル名等を含むヘッダ情報を様々なファイルタイプのデータに添付するヘッダ情報添付手段７を備えたノート型パソコン等のパーソナルコンピュータを想定しているが、上位装置２は、データの転送先を特定する情報として利用可能な情報を含むヘッダ情報をデータに添付できるものであれば、其の他の電子機器であってもよい。
【００２２】
上位装置２として機能するデジタルカメラのヘッダ情報添付手段７は其のデジタルカメラが備えるマイクロプロセッサ１５と其の制御プログラムによって構成され、上位装置２として機能するノート型パソコンのヘッダ情報添付手段７は其のノート型パソコンが備えるマイクロプロセッサ１５と其の制御プログラムによって構成される。
【００２３】
デジタルカメラで生成される画像データに露出時間，絞り値，撮影時刻等を含むヘッダ情報が添付される点に関しては特許文献１の段落００３０等において既に公知であり、また、ノート型パソコンで生成される様々なファイルタイプのデータにファイル名等を含むヘッダ情報が添付される点に関しては一般的な周知事項であるので、上位装置２におけるヘッダ情報添付手段７の構成や機能およびマイクロプロセッサ１５を制御する上位装置用制御プログラムに関しての説明は省略する。
【００２４】
メモリユニット５の記憶媒体３には、アクセスポイントの位置とアクセスポイントの接続情報との対応関係を記憶した接続先情報記憶テーブル９のほか、上位装置２から転送されたデータのヘッダ情報に含まれる可変データの値のうちデータの転送先を特定する情報として認識すべき幾つかの可変データの値と此れらの可変データの各々に対応するデータ転送先との対応関係、および、上位装置２から転送されたデータのヘッダ情報から予め設定されたコードによって区切られる文字ストリングス、つまり、データ転送先を特定する文字ストリングスと此れらの文字ストリングスの各々に対応するデータ転送先との対応関係を記憶した送信先情報記憶テーブル１４が予め保存されている。
【００２５】
アクセスポイントの位置とアクセスポイントの接続情報との対応関係を記憶する接続先情報記憶テーブル９の論理的な構成例を図２の概念図に示す。
【００２６】
図２の例では例えば位置ｘ１，ｙ１に対応するアクセスポイントを指定して接続するために必要とされる接続情報がＡＰ１で、その接続の際に必要とされるログイン名やパスワード等の認証情報がＰＳ１である。
【００２７】
図３は上位装置２から転送されたデータのヘッダ情報に含まれる可変データの値のうちデータの転送先を特定する情報として認識すべき幾つかの可変データの値と此れらの可変データの各々に対応するデータ転送先との対応関係、および、上位装置２から転送されたデータのヘッダ情報から予め設定されたコードによって区切られる文字ストリングスと其の各々に対応するデータ転送先との関係を記憶した送信先情報記憶テーブル１４の論理的な構成例を示した概念図である。
【００２８】
この実施形態では上位装置２がデジタルカメラである場合には、画像データに添付されたヘッダ情報に含まれる可変データの一種であるレンズの絞り値をデータの転送先を特定するための情報として利用し、また、上位装置２がノート型パソコンである場合には、データに添付されたヘッダ情報に含まれるファイル名のうち予め設定されたコードによって区切られる文字ストリングスをデータの転送先を特定するための情報として利用するようにしている。
ここでは、一例として、ファイル名を構成する文字ストリングスからデータの転送先を特定するための情報として機能する文字ストリングスを抽出するためのコードとして“（”と“）”を使用し、“（”と“）”の間に表記された文字ストリングスをデータの転送先を特定するための情報として利用する例について述べる。
【００２９】
図３の送信先情報記憶テーブル１４の例で言えば、例えば、上位装置２として機能するデジタルカメラからメモリユニット５に転送される画像データのヘッダ情報に含まれる絞り値の値がＦ２，Ｆ４，Ｆ８，Ｆ１６等である場合には、これらの値がデータの転送先を特定するための情報としてヘッダ情報解析手段１１により認識され、また、上位装置２として機能するデジタルカメラからメモリユニット５に転送される画像データのヘッダ情報に含まれる絞り値の値がＦ１．４，Ｆ２．８，Ｆ５．６，Ｆ１１等である場合には、ヘッダ情報解析手段１１は此れらの値を無視し、データの転送先を特定するための情報としては認識しない。
図３の例ではＦ２に対応するデータの転送先がＳＶ１であり、また、Ｆ４に対応するデータの転送先はＳＶ２およびＳＶ３となる。データの転送先を特定するための情報に複数の転送先を対応させて複数の転送先たとえばＦＴＰサーバやＷｅｂサーバ等にデータを同時に転送させてもよい。
画像データに添付されたヘッダ情報に含まれる可変データの一種であるレンズの絞り値をデータの転送先を特定するための情報として利用しているのは、上位装置２がデジタルカメラである場合においては上位装置２に文字入力用のマン・マシン・インターフェイスたとえばキースイッチやタッチセンサ等が実装されていない機種が多いからである。
ユーザがメモリユニット５の記憶媒体３に其のまま画像データを保存したい場合にあっては撮影時にＦ２，Ｆ４，Ｆ８，Ｆ１６等の絞り値を使用することはできなくなるが、例えば、絞り値Ｆ８で露出時間１／２５０秒が適正な露出となる撮影条件下にあるときに記憶媒体３に画像データを保存したいという状況下では、絞り値Ｆ１１で露出時間１／１２５秒とするか或いは絞り値Ｆ５．６で露出時間１／５００秒とすること等で適正露出が得られるので、画像データをＦＴＰサーバやＷｅｂサーバ等に転送するかメモリユニット５の記憶媒体３に其のまま保存するかをユーザは任意に選択することができる。
特に、昨今のデジタルカメラにあっては其の多くが１／４段刻み或いは１／８段刻み等で絞り値を木目細かく選択することができ、また、ＩＳＯ（ＡＳＡ，ＤＩＮ）の感度の設定変更も容易であって、絞り優先モードの自動露出はデジタルカメラに標準的に装備されているので、データの転送先を特定するための情報として認識される絞り値を避けて撮影を行なって画像データをメモリユニット５の記憶媒体３に其のまま画像データを保存すること、および、データの転送先を特定するための情報として認識される絞り値を積極的に使用して撮影を行なって画像データをＦＴＰサーバやＷｅｂサーバ等に転送することは容易である。
【００３０】
ここでは一例としてヘッダ情報に含まれる可変データの一種であるレンズの絞り値をデータの転送先を特定するための情報として利用する場合について述べたが、絞り値に代え、上位装置２として機能するデジタルカメラが画像データを生成したときのデジタルカメラの操作状況を表す他の可変データ、例えば、露出時間を可変データとして利用してもよい。
データの転送先を特定するための情報として露出時間を利用する場合は、露出時間優先の撮影を行なうことになる。
【００３１】
また、図３の送信先情報記憶テーブル１４の例で言えば、上位装置２として機能するノート型パソコンからメモリユニット５に転送される画像データのヘッダ情報に含まれるファイル名のうち予め設定されたコードたとえば“（”と“）”の記号で区切られる文字ストリングスがデータの転送先を特定する情報として認識する設定が行なわれている状況下で上位装置２として機能するノート型パソコンからメモリユニット５に転送されるデータのヘッダ情報に含まれるファイル名が“書類名１（ＳＴ１）”であったとすれば、“書類名１（ＳＴ１）”のデータの転送先を特定する情報としてとしてＳＴ１が認識されることになる。
前記と同様、データの転送先を特定するための情報に複数の転送先を対応させて複数の転送先にデータを同時に転送させてもよい。
【００３２】
送信先情報記憶テーブル１４の構成は単純な表形式であるから其の編集作業は容易であり、ユーザは通常のパーソナルコンピュータを利用して、データの転送先を特定するための情報として認識すべき可変データの値や文字ストリングスおよび其れらの各々に対応する単数または複数の転送先との対応関係を自由に設定することができる。
また、図３に示すように複数の異なる可変データたとえば絞り値Ｆ２とＦ８の各々に対応させて同一の転送先たとえばＳＶ１を指定することもできるので、同じ転送先を指定する際に異なる絞り値を利用することもでき、撮影意図に応じてボケを生かしたりパンフォーカスとしたりすることも可能である。
しかも、データの転送先を特定するための1つの情報に対応させて複数の転送先を記憶させておけば、複数の転送先にデータを同時に転送することができる。
【００３３】
図４は、メモリユニット５が備えるマイクロプロセッサ１６が実行するメモリユニット用制御プログラムの構成の概略を示したフローチャートである。
【００３４】
次に、接続先選択手段１０，ヘッダ情報解析手段１１，転送制御手段１２，データ受付インターフェイス１３として機能するメモリユニット５のマイクロプロセッサ１６の処理動作について図４を参照して具体的に説明する。
【００３５】
上位装置２として機能するデジタルカメラやノート型パソコンからメモリユニット５へのデータの転送が開始されると（ステップＳ１）、まず、データ受付インターフェイス１３として機能するマイクロプロセッサ１６が此のデータを受信してデータとヘッダ情報を記憶媒体３のデータ記憶領域３ａに一旦保存する（ステップＳ２）。
【００３６】
次いで、ヘッダ情報解析手段１１として機能するマイクロプロセッサ１６が此のデータに添付されているヘッダ情報を解析し（ステップＳ３）、ヘッダ情報に含まれるファイル名に文字ストリングスを区切るためのコードたとえば“（”と“）”の記号があるか否かを判定し（ステップＳ４）、文字ストリングスを区切るためのコードがあれば、そのコードで区切られた文字ストリングスを抽出して、これをデータの転送先を特定するための情報として認識する（ステップＳ１１）。
ここで、仮に、ヘッダ情報にファイル名が含まれており、そのファイル名が“書類名１（ＳＴ１）”であったとすれば、“（”と“）”の間のＳＴ１がデータの転送先を特定するための情報として認識されることになる。
【００３７】
また、ヘッダ情報に含まれるファイル名に文字ストリングスを区切るためのコードが見つからずにステップＳ４の判定結果が偽となった場合には、ヘッダ情報解析手段１１として機能するマイクロプロセッサ１６は、更に、ヘッダ情報に含まれる可変データにデータの転送先を特定する情報として認識すべき可変データが含まれているか否かを図３に示すような送信先情報記憶テーブル１４を参照して判定し、データの転送先を特定する情報として認識すべき可変データが含まれていれば、その値をデータの転送先を特定するための情報として認識する（ステップＳ５）。
ここで、仮に、デジタルカメラの操作状況を表す可変データである絞り値Ｆ２がヘッダ情報に含まれていたとすれば、この絞り値Ｆ２が送信先情報記憶テーブル１４に保存されていることから、絞り値Ｆ２がデータの転送先を特定するための情報として認識されることになる。
【００３８】
ステップＳ４もしくはステップＳ５のうち何れかの判定結果か真となった場合には、データの転送先を特定するための情報がヘッダ情報によって指定されていることを意味するので、ヘッダ情報解析手段１１として機能するマイクロプロセッサ１６は、データの転送先を特定する情報として認識すべき幾つかの可変データの値と此れらの可変データの各々に対応するデータ転送先との対応関係、および、上位装置２から転送されたデータのヘッダ情報から予め設定されたコードによって区切られる文字ストリングスと其の各々に対応するデータ転送先との関係を記憶した図３の送信先情報記憶テーブル１４を参照して、データの転送先を特定するための情報に対応した具体的なデータ転送先のアドレスを求める（ステップＳ６）。
例えば、データの転送先を特定する情報が仮にＳＴ１やＦ２であったとすればデータの転送先のアドレスはＳＶ１となり、また、データの転送先を特定する情報が仮にＳＴ２であったとすれば、データの転送先のアドレスはＳＶ２およびＳＶ２となる。
【００３９】
次いで、接続先選択手段１０として機能するマイクロプロセッサ１６がＧＰＳ位置検出器８を用いてメモリユニット５の現在位置を特定し（ステップＳ７）、アクセスポイントの位置とアクセスポイントの接続情報との対応関係を記憶した図２の接続先情報記憶テーブル９を参照してＧＰＳ位置検出器８で特定された現在位置に直近するアクセスポイントに対応した接続情報と、このアクセスポイントとの接続に必要とされるログイン名やパスワード等の認証情報を求める（ステップＳ８）。
ここで、仮に、位置検出器８で特定された現在位置に直近するアクセスポイントの位置が位置ｘ１，ｙ１であったとすれば、接続情報ＡＰ１とログイン名やパスワード等の認証情報ＰＳ１が接続先情報記憶テーブル９から選択されることになる。
【００４０】
次いで、転送制御手段１２として機能するマイクロプロセッサ１６が、ステップＳ８の処理で接続先選択手段１０によって求められた接続情報に従って無線モデム４を作動させて現在位置に直近するアクセスポイントに接触し、更に、ステップＳ８の処理で接続先選択手段１０によって求められたログイン名やパスワード等の認証情報を用いてネゴシエーションを実行して適切な接続状態を確立して、ステップＳ６の処理でヘッダ情報解析手段１１によって求められた転送先をデータの転送先として、ステップＳ２の処理でデータ受付インターフェイス１３が記憶媒体３のデータ記憶領域３ａに一旦保存したデータを転送先に向けて送信する（ステップＳ９）。
【００４１】
そして、最終的に、データの送信が完了した時点で、マイクロプロセッサ１６が、ステップＳ２の処理で記憶媒体３のデータ記憶領域３ａに一旦保存したデータと其のヘッダ情報を記憶媒体３のデータ記憶領域３ａから消去して、一連の処理を終える（ステップＳ１０）。
【００４２】
なお、ステップＳ４およびステップＳ５の判定結果が共に偽となった場合には、データの転送先を特定するための情報がヘッダ情報に含まれていないこと、つまり、上位装置２として機能するデジタルカメラやノート型パソコンからメモリユニット５へ転送されたデータを其のまま記憶媒体３に保持する必要があることを意味するので、データの転送に関わるステップＳ６〜ステップＳ９の処理とデータの消去に関わるステップＳ１０の処理は共に非実行とされ、ステップＳ２の処理で記憶媒体３のデータ記憶領域３ａに一旦保存されたデータが其のまま記憶媒体３のデータ記憶領域３ａに保持されることになる。
【００４３】
以上に述べた通り、この実施形態のデータ記録転送システム１は、上位装置２として機能するデジタルカメラやノート型パソコン等に着脱可能に装着されるメモリユニット５が備えるヘッダ情報解析手段１１によって上位装置２から転送されるデータのヘッダ情報を解析してデータの転送先を特定する情報を求め、更に、ヘッダ情報に含まれる可変データの値のうちデータの転送先を特定する情報として認識すべき幾つかの可変データの値と此れらの可変データの各々に対応するデータ転送先との対応関係、および、予め設定されたコードを利用してヘッダ情報から抽出される文字ストリングス、つまり、データ転送先を特定する文字ストリングスと此れらの文字ストリングスの各々に対応するデータ転送先との対応関係を記憶した送信先情報記憶テーブル１４を参照して上位装置２が生成したデータの転送先を特定し、メモリユニット５が備えるＧＰＳ位置検出器８で特定された現在位置とメモリユニット５の記憶媒体３に予め接続先情報記憶テーブル９として記憶させておいたアクセスポイントの位置とアクセスポイントの接続情報との対応関係に基いてメモリユニット５の接続先選択手段１０が現在位置に直近するアクセスポイントの接続情報を選択し、メモリユニット５の転送制御手段１２が、メモリユニット５の無線モデム４を用いて上位装置２からのデータをＦＴＰサーバやＷｅｂサーバ等にデータを転送するようにしているので、上位装置２の構成には関わりなく、上位装置２にセットされたメモリユニット５によって上位装置２で生成されたデータを目的とするＦＴＰサーバやＷｅｂサーバ等の送信先に確実に転送することができる。
【００４４】
特に、キースイッチやタッチセンサ等を始めとする文字入力用のマン・マシン・インターフェイスを備えていないデジタルカメラ等を上位装置２として使用する場合にあっては、上位装置２がデータを生成したときの上位装置２の操作状況を表す可変データのうちヘッダ情報に必ず含まれる情報、たとえば、デジタルカメラにおけるレンズの絞り値や露出時間等をデータの転送先を特定する情報として利用するようにしているので、デジタルカメラの仕様の違いに関わりなく、言い換えれば、デジタルカメラの構造を特殊化することなく、デジタルカメラで生成された画像データを目的とするＦＴＰサーバやＷｅｂサーバ等の送信先に自由に転送できるといったメリットがある。
【００４５】
また、送信先情報記憶テーブル１４の編集が自由であるため、データの転送先を特定するための１つの情報に対応させて任意の数のデータ転送先の情報を記憶させることができ、１つのデータを複数の転送先に同時に転送することも可能となる。
【００４６】
データの転送先を特定するための情報の内容は、上位装置２がデータを生成したときの上位装置２の操作状況を表す可変データ、たとえば、デジタルカメラにおける絞り値や露出時間によって自由に設定することができるので、撮影の度にデータの転送先を自由に選択して画像データを目的とするＦＴＰサーバやＷｅｂサーバ等に転送することができる。
【００４７】
また、アクセスポイントの位置とアクセスポイントの接続情報との対応関係を記憶する接続先情報記憶テーブル９の編集は自在であるので、安全なアクセスポイント、例えば、指定された無線アクセスポイントや有線ルータの位置のみを接続先情報記憶テーブル９に登録しておくようにすれば、仮に接続容易なアクセスポイントが現在位置の近傍に存在したとしても其のアクセスポイントに対してメモリユニット５の接続が行われることを未然に防止することができるので、上位装置２としてノート型パソコン等のパーソナルコンピュータを利用する場合のセキュリティを向上させて安全なデータ転送を実現することができる。
【００４８】
なお、データの転送先を特定する情報として上位装置２がデータを生成したときの上位装置２の操作状況を表す可変データを利用する場合にあっては、上位装置２のデータ生成処理に影響を与えにくい操作に対応した可変データを用いることが望ましい。
この実施形態で例示した可変データである絞り値や露出時間は上位装置２として機能するデジタルカメラの画像データの生成に影響を与えるが、既に段落００３０の後半でも述べた通り、デジタルカメラにあっては１／４段刻み或いは１／８段刻み等で木目細かく絞り値や露出時間を調整することが可能であるので、データの転送先を特定する可変データとして絞り値や露出時間を利用することによって幾つかの絞り値や露出時間の使用が制限されたとしても、実際の撮影に支障を来たしたり生成された画像データの状況に意図しない変化が生じたりすることはない。
【００４９】
以上に開示した実施形態の一部または全部は、以下の付記に示す記載によって適切に表現され得るが、発明を実施するための形態や発明の技術思想は、これらのものに制限されるものではない。
【００５０】
〔付記１〕
データを生成する上位装置と、前記上位装置により生成されたデータを保存する記憶媒体と前記上位装置により生成されたデータをアクセスポイントに向けて送信する無線モデムを備えて前記上位装置に着脱可能に装着されるメモリユニットとを有するデータ記録転送システムであって、
前記上位装置には、生成したデータにデータの転送先を特定する情報を含むヘッダ情報を添付するヘッダ情報添付手段が設けられると共に、
前記メモリユニットには、前記メモリユニットの現在位置を特定するＧＰＳ位置検出器と、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求める接続先選択手段と、前記上位装置から転送されたデータのヘッダ情報に含まれる転送先を特定する情報に基いてデータの転送先を求めるヘッダ情報解析手段と、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信する転送制御手段とを設けたことを特徴とするデータ記録転送システム。
【００５１】
〔付記２〕
前記ヘッダ情報添付手段は、前記上位装置がデータを生成したときの前記上位装置の操作状況を表す可変データを前記ヘッダ情報に含めるように構成され、
前記ヘッダ情報解析手段は、前記上位装置から転送されたデータのヘッダ情報に含まれる前記可変データの値をデータの転送先を特定する情報として認識し、前記可変データの値と前記記憶媒体に予め記憶させておいた可変データとデータの転送先との対応関係に基いてデータの転送先を求めるように構成されていることを特徴とする付記１記載のデータ記録転送システム。
【００５２】
〔付記３〕
前記上位装置がデジタルカメラであって、前記可変データは、露出時間と絞り値のうちから選択された何れか一方の値であることを特徴とする付記２記載のデータ記録転送システム。
【００５３】
〔付記４〕
前記上位装置はパーソナルコンピュータであって、
前記ヘッダ情報添付手段は、前記上位装置がデータを生成したときのファイル名を前記ヘッダ情報に含めるように構成され、
前記ヘッダ情報解析手段は、前記上位装置から転送されたデータのヘッダ情報に含まれるファイル名のうち予め設定されたコードで区切られた文字ストリングスをデータの転送先として認識するように構成されていることを特徴とする付記１記載のデータ記録転送システム。
【００５４】
〔付記５〕
前記上位装置から転送されたデータを前記記憶媒体に一旦保存し、前記上位装置から転送されたデータのヘッダ情報に転送先を特定する情報が含まれていなければ前記上位装置から転送されたデータを前記記憶媒体に保持し続ける一方、前記上位装置から転送されたデータのヘッダ情報に転送先を特定する情報が含まれていれば前記上位装置から転送されたデータを前記無線モデムを介して送信してから当該データを前記記憶媒体から消去することを特徴とした付記１，付記２，付記３または付記４のうち何れか１項に記載のデータ記録転送システム。
【００５５】
〔付記６〕
前記記憶媒体には、予めセキュリティを保証されたアクセスポイントの位置とアクセスポイントの接続情報との対応関係のみが記憶させてあることを特徴とした付記１，付記２，付記３または付記４，付記５のうち何れか１項に記載のデータ記録転送システム。
【００５６】
〔付記７〕
データを生成する上位装置と、前記上位装置により生成されたデータを保存する記憶媒体と前記上位装置により生成されたデータをアクセスポイントに向けて送信する無線モデムと現在位置を特定するためのＧＰＳ位置検出器を備えて前記上位装置に着脱可能に装着されるメモリユニットとを有するデータ記録転送システムの制御プログラムであって、
前記上位装置が備えるマイクロプロセッサを、上位装置が生成したデータにデータの転送先を特定する情報を含むヘッダ情報を添付するヘッダ情報添付手段として機能させる上位装置用制御プログラムと、
前記メモリユニットが備えるマイクロプロセッサを、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求める接続先選択手段、前記上位装置から転送されたデータのヘッダ情報に含まれる転送先を特定する情報に基いてデータの転送先を求めるヘッダ情報解析手段、および、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信する転送制御手段として機能させるメモリユニット用制御プログラムとによって構成されるデータ記録転送システムの制御プログラム。
【００５７】
〔付記８〕
前記上位装置用制御プログラムは、前記ヘッダ情報添付手段を、前記上位装置がデータを生成したときの前記上位装置の操作状況を表す可変データを前記ヘッダ情報に含めるように機能させ、
前記メモリユニット用制御プログラムは、前記ヘッダ情報解析手段を、前記上位装置から転送されたデータのヘッダ情報に含まれる前記可変データの値をデータの転送先を特定する情報として認識し、前記可変データの値と前記記憶媒体に予め記憶させておいた可変データとデータの転送先との対応関係に基いてデータの転送先を求めるように機能させることを特徴とする付記７記載のデータ記録転送システムの制御プログラム。
【００５８】
〔付記９〕
前記上位装置がデジタルカメラであって、前記可変データは、露出時間と絞り値のうちから選択された何れか一方の値であることを特徴とする付記８記載のデータ記録転送システムの制御プログラム。
【００５９】
〔付記１０〕
前記上位装置はパーソナルコンピュータであって、
前記上位装置用制御プログラムは、前記ヘッダ情報添付手段を、前記上位装置がデータを生成したときのファイル名を前記ヘッダ情報に含めるように機能させ、
前記メモリユニット用制御プログラムは、前記ヘッダ情報解析手段を、前記上位装置から転送されたデータのヘッダ情報に含まれるファイル名のうち予め設定されたコードで区切られた文字ストリングスをデータの転送先として認識するように機能させることを特徴とする付記７記載のデータ記録転送システムの制御プログラム。
【００６０】
〔付記１１〕
前記メモリユニット用制御プログラムは、前記上位装置から転送されたデータを前記記憶媒体に一旦保存し、前記上位装置から転送されたデータのヘッダ情報に転送先を特定する情報が含まれていなければ前記上位装置から転送されたデータを前記記憶媒体に保持し続ける一方、前記上位装置から転送されたデータのヘッダ情報に転送先を特定する情報が含まれていれば前記上位装置から転送されたデータを前記無線モデムを介して送信してから当該データを前記記憶媒体から消去することを特徴とした付記７，付記８，付記９または付記１０のうち何れか１項に記載のデータ記録転送システムの制御プログラム。
【００６１】
〔付記１２〕
前記記憶媒体には、予めセキュリティを保証されたアクセスポイントの位置とアクセスポイントの接続情報との対応関係のみが記憶させてあることを特徴とした付記７，付記８，付記９，付記１０または付記１１のうち何れか１項に記載のデータ記録転送システムの制御プログラム。
【００６２】
〔付記１３〕
データを生成する上位装置と、前記上位装置により生成されたデータを保存する記憶媒体と前記上位装置により生成されたデータをアクセスポイントに向けて送信する無線モデムと現在位置を特定するためのＧＰＳ位置検出器を備えて前記上位装置に着脱可能に装着されるメモリユニットとを有するデータ記録転送システムにおけるデータの記録転送方法であって、
前記上位装置がデータを生成する際に、上位装置のヘッダ情報添付手段により、生成されたデータにデータの転送先を特定する情報を含むヘッダ情報を添付し、
上位装置からメモリユニットにデータを転送する際に、
メモリユニットの接続先選択手段が、前記ＧＰＳ位置検出器で特定された現在位置と前記記憶媒体に予め記憶させておいたアクセスポイントの位置とアクセスポイントの接続情報との対応関係に基いて前記現在位置に直近するアクセスポイントの接続情報を求め、メモリユニットのヘッダ情報解析手段が、前記上位装置から転送されたデータのヘッダ情報に含まれる転送先を特定する情報に基いてデータの転送先を求め、メモリユニットの転送制御手段が、前記接続先選択手段によって求められた接続情報に従って前記無線モデムを作動させて前記現在位置に直近するアクセスポイントに接続し、前記ヘッダ情報解析手段によって求められた転送先をデータの転送先として前記無線モデムを介してデータを送信することを特徴としたデータの記録転送方法。
【００６３】
〔付記１４〕
前記ヘッダ情報添付手段が、前記上位装置がデータを生成したときの前記上位装置の操作状況を表す可変データを前記ヘッダ情報に含め、
前記ヘッダ情報解析手段が、前記上位装置から転送されたデータのヘッダ情報に含まれる前記可変データの値をデータの転送先を特定する情報として認識し、前記可変データの値と前記記憶媒体に予め記憶させておいた可変データとデータの転送先との対応関係に基いてデータの転送先を求めるように構成されていることを特徴とする付記１３記載のデータの記録転送方法。
【００６４】
〔付記１５〕
前記上位装置がデジタルカメラであって、前記可変データは、露出時間と絞り値のうちから選択された何れか一方の値であることを特徴とする付記１４記載のデータの記録転送方法。
【００６５】
〔付記１６〕
前記上位装置はパーソナルコンピュータであって、
前記ヘッダ情報添付手段が、前記上位装置がデータを生成したときのファイル名を前記ヘッダ情報に含め、
前記ヘッダ情報解析手段が、前記上位装置から転送されたデータのヘッダ情報に含まれるファイル名のうち予め設定されたコードで区切られた文字ストリングスをデータの転送先として認識することを特徴とする付記１３記載のデータの記録転送方法。
【００６６】
〔付記１７〕
前記上位装置から転送されたデータを前記記憶媒体に一旦保存し、前記上位装置から転送されたデータのヘッダ情報に転送先を特定する情報が含まれていなければ前記上位装置から転送されたデータを前記記憶媒体に保持し続ける一方、前記上位装置から転送されたデータのヘッダ情報に転送先を特定する情報が含まれていれば前記上位装置から転送されたデータを前記無線モデムを介して送信してから当該データを前記記憶媒体から消去することを特徴とした付記１３，付記１４，付記１５または付記１６のうち何れか１項に記載のデータの記録転送方法。
【００６７】
〔付記１８〕
前記記憶媒体には、予めセキュリティを保証されたアクセスポイントの位置とアクセスポイントの接続情報との対応関係のみが記憶させてあることを特徴とした付記１３，付記１４，付記１５，付記１６または付記１７のうち何れか１項に記載のデータの記録転送方法。
【産業上の利用可能性】
【００６８】
本発明は、デジタルカメラやノート型パソコン等のパーソナルコンピュータを始め、データを生成する機能を有する上位装置に着脱可能に装着されるメモリユニットに適用することができる。
【符号の説明】
【００６９】
１  データ記録転送システム
２  上位装置
３  記憶媒体
３ａ  データ記憶領域
４  無線モデム
５  メモリユニット
６  データ生成手段
７  ヘッダ情報添付手段
８  ＧＰＳ位置検出器
９  接続先情報記憶テーブル
１０  接続先選択手段
１１  ヘッダ情報解析手段
１２  転送制御手段
１３  データ受付インターフェイス
１４  送信先情報記憶テーブル
１５  上位装置のマイクロプロセッサ
１６  メモリユニットのマイクロプロセッサ
【図１】
2014229251.tif 000003
【図２】
2014229251.tif 000004
【図３】
2014229251.tif 000005
【図４】
2014229251.tif 000006